【手続補正書】
【提出日】平成23年8月9日(2011.8.9)
【手続補正１】
【補正対象書類名】特許請求の範囲
【補正対象項目名】全文
【補正方法】変更
【補正の内容】
【特許請求の範囲】
【請求項１】
ユーザの操作に従って、１つのファイルに含まれる複数の画像の中から少なくとも１つの画像を指定する画像指定手段と、
前記画像指定手段により指定された画像の種別に基づいて、当該画像の種別に応じた他の画像を前記複数の画像の中から選択する画像選択手段と、
前記画像指定手段により指定された画像及び前記画像選択手段により選択された他の画像を出力する出力手段と、
を備えることを特徴とする画像処理装置。
【請求項２】
前記画像選択手段は、前記画像指定手段により指定された画像に加えて、当該指定された画像と同じ種別の他の画像を選択することを特徴とする請求項１に記載の画像処理装置。
【請求項３】
前記画像選択手段は、前記画像指定手段により指定された画像がパノラマ画像である場合に、当該指定された画像に加えて、当該指定された画像に関連する他のパノラマ画像を選択することを特徴とする請求項２に記載の画像処理装置。
【請求項４】
前記画像指定手段により画像が指定された場合に、当該指定された画像に関連する他の画像を選択するか否かをユーザに確認する確認手段を更に備え、
前記確認手段による確認の結果、前記指定された画像に関連する他の画像を選択することがユーザにより指示された場合に、前記画像選択手段は前記指定された画像に関連する他の画像を選択することを特徴とする請求項１に記載の画像処理装置。
【請求項５】
前記確認手段は、前記画像指定手段により指定された画像がパノラマ画像である場合に、当該指定された画像に関連する他のパノラマ画像を選択するか否かをユーザに確認することを特徴とする請求項４に記載の画像処理装置。
【請求項６】
前記確認手段は、前記画像指定手段により指定された画像がサムネイル画像である場合に、当該指定されたサムネイル画像の元の画像を選択するか否かをユーザに確認することを特徴とする請求項４に記載の画像処理装置。
【請求項７】
前記確認手段は、サムネイル画像が既に選択された状態で、当該サムネイル画像の元の画像が前記画像指定手段により指定された場合に、当該サムネイル画像の選択を解除するか否かをユーザに確認することを特徴とする請求項４に記載の画像処理装置。
【請求項８】
前記画像選択手段により複数の画像が選択された場合に、前記出力手段は、当該選択された複数の画像を１つのファイルとして出力する第１の出力方法、当該選択された複数の画像をそれぞれ別のファイルとして出力する第２の出力方法、及び当該選択された複数の画像を結合して出力する第３の出力方法のいずれかを用いて、当該選択された複数の画像を出力することを特徴とする請求項１から７のいずれか１項に記載の画像処理装置。
【請求項９】
前記画像選択手段により選択された複数の画像の種別に基づいて、当該選択された複数の画像の出力に用いる出力方法として選択可能な出力方法を決定する出力方法決定手段を更に備えることを特徴とする請求項８に記載の画像処理装置。
【請求項１０】
前記出力方法決定手段は、前記画像選択手段により選択された複数の画像がパノラマ画像のみである場合は、前記第３の出力方法を選択可能な出力方法とし、前記画像選択手段により選択された複数の画像にパノラマ画像でない画像が含まれる場合は、前記第３の出力方法を選択可能な出力方法としないことを特徴とする請求項９に記載の画像処理装置。
【請求項１１】
前記複数の画像のそれぞれを示す情報を表示する表示手段を更に備え、
前記画像指定手段は、前記表示手段に表示された情報に基づくユーザの操作に従って画像を指定することを特徴とする請求項１から１０のいずれか１項に記載の画像処理装置。
【請求項１２】
前記表示手段は、各画像の種別を識別することが可能な状態で、前記複数の画像のそれぞれを示す情報を表示することを特徴とする請求項１１に記載の画像処理装置。
【請求項１３】
ユーザの操作に従って、複数のファイルの中から少なくとも１つのファイルを指定するファイル指定手段と、
前記ファイル指定手段により指定されたファイルに含まれる複数の画像のそれぞれを示す情報を前記表示手段に表示することを指示する指示手段と、
前記ファイル指定手段により指定されたファイルが複数の画像を含むファイルである場合に、前記指示手段を有効化する有効化手段と、
を更に備えることを特徴とする請求項１から１２のいずれか１項に記載の画像処理装置。
【請求項１４】
前記画像選択手段により選択され前記出力手段により出力された画像を示す情報を、当該出力された画像が含まれていた元のファイルと対応付けて管理する管理手段を更に備えることを特徴とする請求項１から１３のいずれか１項に記載の画像処理装置。
【請求項１５】
前記出力手段が、前記画像選択手段により選択された画像を１つまたは複数のファイルとして出力した場合に、当該出力された画像が含まれていた元のファイルとは別に、当該出力されたファイルを保持する保持手段を更に備えることを特徴とする請求項１から１４のいずれか１項に記載の画像処理装置。
【請求項１６】
前記出力手段は、前記画像選択手段により選択された画像を、ネットワークを介して前記画像処理装置と接続された外部装置に送信することを特徴とする請求項１から１５のいずれか１項に記載の画像処理装置。
【請求項１７】
前記出力手段は、前記画像選択手段により選択された画像を、前記画像処理装置に接続された携帯型メモリ媒体に書き込むことを特徴とする請求項１から１５のいずれか１項に記載の画像処理装置。
【請求項１８】
ユーザの操作に従って、１つのファイルに含まれる複数の画像の中から少なくとも１つの画像を指定する画像指定工程と、
前記画像指定工程で指定された画像の種別に基づいて、当該画像の種別に応じた他の画像を前記複数の画像の中から選択する画像選択工程と、
前記画像指定工程で指定された画像及び前記画像選択工程で選択された他の画像を出力する出力工程と、
を備えることを特徴とする画像処理装置の制御方法。
【請求項１９】
請求項１８に記載の画像処理装置の制御方法をコンピュータに実行させるためのプログラム。
【手続補正２】
【補正対象書類名】明細書
【補正対象項目名】発明の名称
【補正方法】変更
【補正の内容】
【発明の名称】画像処理装置、画像処理装置の制御方法、プログラム
【手続補正３】
【補正対象書類名】明細書
【補正対象項目名】０００１
【補正方法】変更
【補正の内容】
【０００１】
本発明は、１つのファイルに含まれる複数の画像の中から選択された画像を出力する画像処理装置、画像処理装置の制御方法、プログラムに関する。
【手続補正４】
【補正対象書類名】明細書
【補正対象項目名】００１６
【補正方法】変更
【補正の内容】
【００１６】
上記の目的を達成するために本発明の画像処理装置は、ユーザの操作に従って、１つのファイルに含まれる複数の画像の中から少なくとも１つの画像を指定する画像指定手段と、前記画像指定手段により指定された画像の種別に基づいて、当該画像の種別に応じた他の画像を前記複数の画像の中から選択する画像選択手段と、前記画像指定手段により指定された画像及び前記画像選択手段により選択された他の画像を出力する出力手段と、を備えることを特徴とする。
【手続補正５】
【補正対象書類名】明細書
【補正対象項目名】００１７
【補正方法】変更
【補正の内容】
【００１７】
また、本発明の画像処理装置の制御方法は、ユーザの操作に従って、１つのファイルに含まれる複数の画像の中から少なくとも１つの画像を指定する画像指定工程と、前記画像指定工程で指定された画像の種別に基づいて、当該画像の種別に応じた他の画像を前記複数の画像の中から選択する画像選択工程と、前記画像指定工程で指定された画像及び前記画像選択工程で選択された他の画像を出力する出力工程と、を備えることを特徴とする。